(57)【特許請求の範囲】
【請求項１】
季節利用のプール施設においてシーズンオフ中に貯留されたプール貯留水に、全銅濃度０．４〜１．０ｍｇ／Ｌ（但し、１．０ｍｇ／Ｌを除く）になるよう銅塩を添加する工程と、
前記プール貯留水の水面の１／３以上を遮光する工程と、
前記プール貯留水に、次亜塩素酸または次亜塩素酸塩と、アンモニアまたはアンモニウム塩を添加して、０．４ｍｇ／Ｌ以上のモノクロラミンを生成させる工程と、
前記プール貯留水の一部を間欠的に循環させる間欠循環工程とを有することを特徴とするプール貯留水の再生方法。
【請求項２】
前記間欠循環工程は、前記プール貯留水を一週闇に一時間以上の頻度で間欠的に循環させて、非遮光部分の貯留水を遮光下部に移動させる工程であることを特徴とする請求項１に記載のプール貯留水の再生方法。
【発明の詳細な説明】
【技術分野】
【０００１】
本発明は、使用されない期間中に貯留されたプール水を浄化して再生するプール貯留水の再生方法に関する。
【背景技術】
【０００２】
例えば、季節利用の遊泳用のプール施設等においては、シーズンオフの期間中プール水を貯留しておき、シーズン再開の前にその貯留水を廃棄し、清掃・洗浄後に新鮮水と交換する施設整備方法を実施する場合が多い。
【発明の概要】
【発明が解決しようとする課題】
【０００３】
この場合、シーズンオフ中に貯留されたプール水には通常なんらの処理も施されないので、藻の大量増殖と死滅の繰り返しで濁り、その濁度は１０度以上になって底面の透視ができないほどになる。また、水槽の接水面や水際の壁面には粘液が付着し、いわゆるヌメリ（又は、「ヌルヌル」、「スライム」、もしくは「バイオフィルム（生物膜）」とも呼ばれる）もみられるため「プール貯留水は腐っている」とみなされ、水抜きをして全量廃棄する必要があった。
【０００４】
さらに、上記水抜き廃棄後も水槽内に残った汚泥物やヌメリは、デッキ・ブラシやポリッシャー等で機械的に落とし、水道水等で洗い流す必要もあり、汚れの程度に応じて洗浄水の使用量も多くなりがちであった。その結果、プール再開準備のための清掃を非常に煩雑にし、また清掃コストも嵩むので、施設運営上の難題の１つとなっていた。
【０００５】
本発明は、季節利用のプール施設等において、シーズンオフ中に貯留されたプール水をプール再開前に廃棄せずに再生・再利用することを可能にすると共にプール再開前の煩雑な清掃・洗浄等の必要性をなくし、経費を大幅に削減することを可能にしたプール貯留水の再生方法を提供することを目的とする。
【課題を解決するための手段】
【０００６】
上述の課題を解決するための手段は以下の通りである。
（１）季節利用のプール施設において、使用されない期間中に貯留されたプール貯留水に、全銅濃度０．４〜１．０ｍｇ／Ｌになるよう銅塩を添加する工程と、
前記プール貯留水の水面の１／３以上を遮光する工程と、
前記プール貯留水に、次亜塩素酸または次亜塩素酸塩と、アンモニアまたはアンモニウム塩とを添加することによって、０．４ｍｇ／Ｌ以上のモノクロラミンを生成させてこれを維持する工程と、
前記プール貯留水の一部を間欠的に循環させる間欠循環工程とを有することを特徴とするプール貯留水の再生方法。
（２）前記間欠循環工程は、前記プール貯留水を一週闇に一時間以上の頻度で間欠的に循環させて、非遮光部分の貯留水を遮光下部に移動させる工程であることを特徴とする（１）に記載のプール貯留水の再生方法。
【発明の効果】
【０００７】
上述の手段によれば、何らの手段も講じることなく８〜１０ヵ月貯留したままのプール水と比較して、沈殿物量、浮遊物量、濁度および壁面のヌメリをはるかに低減できる。この事実は、例えば、容量約１，２００ｍ３の公営プールにおける実験で証明された。とくにヌメリに関しては、慣例となっているデッキ・ブラシ等による水掛け清掃をまったく要しない状態に長期間維持でき、ワイパー型清掃用具さえ必要としない。食器等の洗剤による洗浄後と同等といえるほど、ヌメリはまったくない。また、循環処理によって透視度が高められ（濁度が低下し）、実施例ではついに５０ｍプールの対角線の対面にある水槽の角や送水口金物の形状を明瞭に認識できる透視度約７０ｍを実現できた。さらに、プールサイド片側に立ち、５０ｍ前方の水深がほとんどなくなって見える観察所見が得られ、観察者全員から驚嘆の声が出たほどであった。このため、プール貯留水を捨てることなく再利用が可能になり、かつ、プール再開時の清掃も著しく簡単なものですむようになった。
【図面の簡単な説明】
【０００８】
【図１】本発明の実施形態にかかるプール貯留水の再生方法を実施するための屋外プール施設の概略図である。
【発明を実施するための形態】
【０００９】
図１は、本発明の実施形態にかかるプール貯留水の再生方法を実施するための屋外プール施設の概略図であり、図１に示される屋外プール施設自体は、循環浄化設備を備えた一般的な施設である。以下、図１を参照にしながら本願発明の実施の形態にかかるプール貯留水の再生方法について説明する。なお、この実施の形態で用いたプール施設は、容量約１，２００ｍ３の５０ｍプールである。
【００１０】
図１において、屋外に設置されたプールのプール水槽６は、上部の周囲近傍にオーバーフロー水の排出溝６１が設けられ、底部に排水ます７が設けられ、さらに、内壁部に吐出口（菊型送水口金物）１１が設けられたものである。前記排水ます７は配管７１を通じて循環ポンプ８に接続され、前記循環ポンプ８は配管９１を通じて五方切替弁９の第１ポートｐ１に接続されている。また、前記吐出口１１は配管９２を通じて前記五方弁９の第２ポートｐ２に接続されている。
【００１１】
前記五方切替弁９の第３ポートｐ３は、配管９３を通じてろ過機１０の入口ポートｐｉに接続され、また前記ろ過機１０の出口ポートｐｄは配管９４を通じて前記五方切替弁９の第４ポートｐ４に接続されている。そして前記五方切替弁９の第５ポートｐ５には配管９５の一方の端部が接続され、前記配管９５の他端部は排水溝３０に向けて開放されている。
【００１２】
前記五方切替弁９は、ろ過時は第１ポートｐ１と第３ポートｐ３とが接続され、同時に、第２ポートｐ２と第４ポートｐ４とが接続されるようになっている。また、逆洗時には、切り換えによって、第１ポートｐ１と第４ポートｐ４とが接続され、同時に、第３ポートｐ３と第５ポートｐ５とが接続されるようになっている。そして、逆洗時の後の洗浄時には、切り換えによって、第１ポートｐ１と第３ポートｐ３とが接続され、同時に、第４ポートｐ４と第５ポートｐ５とが接続されるようになっている。
【００１３】
すなわち、前記五方切替弁９によって、常時は、前記循環ポンプ８と前記ろ過機１０の入口ポートｐｉとが接続され、同時に、前記ろ過機１０の出口ポートｐｄと前記プール水槽６の内壁部の吐出口１１とが接続されるようになっている。これにより、常時は、前記循環ポンプ８によって、前記プール水槽６の底部の排水ます７からプール貯留水２０の一部をろ過機１０に導き、ろ過した後、前記吐出口１１を通じてプール水槽６内に戻す循環経路を形成するようになっている。一方、前記五方切替弁９の切り換えによって、ろ過機１０の逆洗及び洗浄を行う流路を形成できるようになっており、逆洗及び洗浄の排出液は排水溝３０を通じ排水されるようになっている。なお、図示しないが、排水ます７−循環ポンプ８−五方切替弁９−ろ過機１０−吐出口１１からなる循環ろ過流路が実際には３流路設けられており、それぞれの循環ろ過流路の循環ろ過能力は、１３０ｍ３／ｈ、９０ｍ３／ｈ、９０ｍ３／ｈであり、合計の循環ろ過能力は３１０ｍ３／ｈである。
【００１４】
本願発明の実施形態にかかるプール貯留水の再生方法は、上記屋外プール施設を用いて以下のようにして実施する。図１に示されるように、まず、シーズンオフを迎えた屋外プールのプール水槽６に貯留されたプール貯留水２０に、全銅濃度０．４〜１．０ｍｇ／Ｌになるよう銅塩１を添加する。これにより、藻の芽胞を死滅させる。また、同時にプール貯留水２０の水面の全面積の約１／３を遮光シート２で覆う。なお、この遮光シート２としては、プール水面遮光率が３０％以上でかつ水面に浮上できるものを用いる。具体的には、例えば、市販のプール用保温シートや農業用黒色フィルム（黒マルチ）等の低コストのものを用いることができる。さらに、循環ポンプ８を一週間に一時間以上の頻度で間欠運転して循環浄化を行うことで非遮光部分の貯留水を遮光下部に移動させる。これにより、残存する藻の発芽を抑止する。
【００１５】
当初の透視度（濁度）を維持するには、この発藻対策をシーズンオフに入った直後（プール閉場から一週間以内）に行うのが望ましい。これは、シーズンオフを迎えた屋外プールのプール水槽６に貯留されたプール貯留水２０は、何らの処理もせずに自然光の下に放置した場合、一週間も経ると藻の増殖が始まり、二週間後には底面のコースラインが霞んで見える程度になり、三週間後には底面が透視できない程度まで藻の増殖細胞によって濁ってしまうのが普通であるからである。
【００１６】
ここで、銅塩１としては、具体的には硫酸銅・５水塩を２．５ｋｇ用いる。これにより、貯水量が１２００ｍ３の場合、全銅濃度が約０．５ｍｇ／Ｌとなる。補水や溢水が無ければイオン濃度に変化が生じないのでこの投入は１回でよい。この場合、無水塩でないのは、結晶水を持っていた方が溶解が容易だからである。このとき、循環ポンプ８を駆動して均一拡散させてもよいが、自然現象による濃度拡散を期待できるから特にポンプ駆動を必須とはしない。この処理では水道水中の残留塩素濃度でもなお細胞が破壊されていなかった藻の発芽も防止することができる。
【００１７】
上記処理によって、完全に死滅していなかった藻の芽胞は銅イオンによってほとんど死滅し、遮光によって光合成もできないからなお耐性を有している芽胞があったとしても発芽できずに増殖しない。なお、循環ポンプ８を一週間に一時間以上の頻度で間欠運転して循環浄化を行うことは、「非遮光部分の貯留水を遮光下部に移動させる」という本来の効果のほかに、休場期間中、ろ過機の水抜きを行って浄化システム設備の防錆を行う必要をなくすという副次的効果も得られる。勿論、前記間欠運転と別途の防錆策を実施すれば、老朽化の防止と同時に再開時の準備作業も省力化も可能となる。
【００１８】
さらに、プール貯留水２０に、アンモニアまたはアンモニウム塩３と、次亜塩素酸または次亜塩素酸塩４を分散して添加し、０．４ｍｇ／Ｌ〜２．０ｍｇ／Ｌのモノクロラミンを生成させるようにする。具体的には、塩化アンモニウム２ｋｇと、１２％次亜塩素酸ナトリウム液を２０ｋｇとを投入する。なお、プール貯留水２０中のモノクロラミンの濃度は、０．４ｍｇ／Ｌ以上が確保されることが重要であり、その濃度の上限値はそれほど厳密に管理されていなくともよい。さらに、ｐＨが約９になるようにアルカリ剤（粉末・炭酸ナトリウム）を添加して調節する。この処理で、モノクロラミンのみが急速に生成し、長時間の濃度維持が可能になる。なお、モノクロラミンが逆反応でアンモニアに戻る場合もあり、次亜塩素酸塩を追加して濃度維持することが必要な場合もあるが、これは発藻の様子をみて行う。ｐＨを変動因子とするモノクロラミンの安定性については、文献；用水と排水,Ｖｏｌ．５０，Ｎｏ．５（２００８）「貯水槽・浴槽における抜本的レジオネラ対策」関秀行他著、に詳細に記載されている。
【００１９】
モノクロラミンを所定濃度以上に長時間維持することによって、粘液を分泌して細菌叢をつくり種の保存を図ろうとする細菌類の増殖を完全に阻止できる。加えて、モノクロラミンは藻より小さい細菌に対してより効果を発揮するから、藻の死骸や土砂・塵埃で構成される沈殿物の相互凝集を阻害することなく、粘着力を弱めることができた。
【００２０】
なお、以上の処理を施した場合、プール水槽６の底部には、沈殿濁質５が形成されてくるが、この沈殿濁質５は、例えば、風によって運ばれてきた土砂、塵埃、野焼きの煤、野鳥の羽、水生動物の卵や幼虫、藻の死骸などが沈殿したものであり、沈殿によって濁質が徐々に相互凝集し比重が高まっていったものである。それゆえ、循環ポンプ８を駆動してもこの沈殿濁質５自体が排水ますに吸引されることはほとんどない。この沈殿濁質５を掃除機型の機器により底層の水とともに吸引して外部に廃棄すれば、貯留水の損失を１０％以下におさえつつプール再開が可能となる。この沈殿濁質の吸引排出作業は、後述する本格的な凝集ろ過前に１〜２日を掛けて行っておく。
【００２１】
なお、沈殿濁質５には比較的粒子の小さいいわゆる懸濁物が少し含まれている場合があり、循環ポンプ８を駆動した場合や、沈殿濁質５を掃除機型の機器により吸引・廃棄する場合等に貯留水中に舞い上がる場合がある。循環ポンプ８を駆動した場合に舞い上がった懸濁物の多くは、ろ過機１０によって除去できる。また、吸引・廃棄の際に舞い上がり、吸引されずに貯留水中に残った懸濁物については、本願発明者の発明にかかる特許第２０３２７８２号明細書に記載された発明（以下、凝集ろ過処理という）を実施することで、極限まで静電気吸着捕捉でき、透視度を画期的に高めることができる。本実施の形態では、沈殿濁質の吸引排出作業後、プール再開日まで通常の循環ろ過を継続し、濁度５度程度になってから、１２％次亜塩素酸ナトリウム液を４日間、毎回約３０ｋｇで合計１２０ｋｇを添加し、脱色消毒を行う。その結果、プール再開日の前日には透視度５０ｍ以上（濁度０．１度未満）が得られた。
【００２２】
【表１】
0005514670.tif 000002
【００２３】
表１は、上述の実施形態にかかるプール貯留水再生方法によって処理した貯留水、並びに、この処理後の貯留水にさらに凝集ろ過処理を施したプール貯留水の水質を調査した結果を示すものである。表１において、検査項目は、東京都が定める条例および厚生労働省が通知しているプール水質基準並びに水道水質基準（省令）の項目に準拠したものである。また、プール再開基準日はプール再開日の１８日前の日であり、８日後、１８日後とは、プール再開基準日から８日後、１８日後のことであり、１８日後がプール再開日である。
【００２４】
表１から明らかなように、プール再開基準日においては、濁度、一般細菌数、及び過マンガン酸カリウム消費量（ＴＯＣ測定値）がプール水質基準に不適合であったが、プール再開日においては、全水質検査項目が東京都が定める条例および厚生労働省が通知している水質基準に適合していることがわかる。しかも、上記項目のほとんどが「水道水」の水質基準に照らしても適合するもので、特に、濁度を０．１度未満にできたことは、当業者においては驚異的数値である。なお、プール再開の準備作業直前に、貯留水中に水生昆虫の一匹でも生存確認できれば、それは毒性面で貯留水の安全性に関する証左となるが、アキアカネ系の水生昆虫（ヤゴ）の生存を確認し、試飲もして問題ないことがわかった。
【産業上の利用可能性】
【００２５】
本発明は、循環浄化を長期間停止するあらゆる種類の貯水槽に対して利用できる。藻の発生は、季節利用のプール施設における貯留水に限った現象ではないが、複数種の薬剤と遮光物の設置および清掃機器を必要とするため、水槽の規模が大きくなればなるほど得られる効果も大きくなる。
【符号の説明】
【００２６】
１  銅塩（硫酸銅・５水塩）
２  遮光シート（人工遮光物）
３  アンモニア水又はアンモニウム塩
４  次亜塩素酸塩（固形または水溶液）
５  沈殿濁質
６  プール水槽
７  排水ます
８  循環ポンプ
９  五方弁
１０  ろ過機
１１  吐出口（菊型送水口金物）
２０  プール貯留水
３０  排水溝
【図１】
0005514670.tif 000003